(57)【要約】    【課題】  画像情報を参照する際のアクセス方法をユーザに分かりやすく提示し、ユーザから画像情報が参照される可能性を高くすること等を可能とした画像配信システムを提供する。    【解決手段】  ダイレクトフォトプリントシステムは、デジタルカメラ1、プリンタ2、ネットワーク通信部3、サーバ4、ネットワーク5を備える。サーバ4のサーバ処理部215は、アクセス先情報と画像識別ID情報(又はアクセス先情報と画像識別ID情報と画像保持期限情報)をプリンタ2に送信する。プリンタ2のプリンタCPU207は、アクセス先情報と画像識別ID情報(又はアクセス先情報と画像識別ID情報と画像保持期限情報)を画像情報に付加する印刷を行う。また、サーバ4のサーバ処理部215は、現在の日付が保持期限を過ぎた場合に画像情報を削除し、画像情報にアクセスがあった場合に画像情報の保持期限を所定日数延長する。【選択図】      図２
2006023938.tif 000002
【特許請求の範囲】
【請求項１】
撮影された画像情報を外部に送信可能な画像処理装置と、
前記画像処理装置からネットワークを介して送信された画像情報を保持すると共に前記ネットワークを介して画像情報の公開を行う画像管理装置とを備え、
前記画像管理装置に保持された画像情報をアクセス可能とする情報を前記画像管理装置から前記画像処理装置に送信し、前記画像処理装置側で前記情報を画像情報に付加する印刷を行うことを特徴とする画像配信システム。
【請求項２】
前記ネットワークに接続し、前記画像処理装置と前記画像管理装置との間の通信を司る通信手段を更に備え、
前記画像処理装置は、撮像装置と、前記撮像装置により撮影された画像情報を印刷可能な印刷装置とを含み、
前記画像管理装置は、前記画像管理装置にアクセスするためのアクセス先情報と画像情報を識別する識別情報を前記印刷装置に送信し、前記印刷装置は、前記通信手段を介して受信した前記アクセス先情報と前記識別情報を画像情報に付加する印刷を行うことを特徴とする請求項１記載の画像配信システム。
【請求項３】
前記画像管理装置は、前記アクセス先情報と前記識別情報に加えて前記画像管理装置における画像情報の保持期限を示す保持期限情報を前記印刷装置に送信し、前記印刷装置は、前記通信手段を介して受信した前記アクセス先情報と前記識別情報と前記保持期限情報を画像情報に付加する印刷を行うことを特徴とする請求項２記載の画像配信システム。
【請求項４】
前記印刷装置は、前記アクセス先情報と前記識別情報又は前記アクセス先情報と前記識別情報と前記保持期限情報を複数の画像情報に付加する印刷を行うことを特徴とする請求項２又は３記載の画像配信システム。
【請求項５】
前記画像管理装置は、前記画像管理装置内に保持された画像情報の保持期限と現在の日付とを比較し、現在の日付が保持期限を過ぎた場合に画像情報を削除することを特徴とする請求項３記載の画像配信システム。
【請求項６】
前記画像管理装置は、前記画像管理装置内に保持された画像情報に対するアクセスを記録し、画像情報にアクセスがあった場合に前記画像情報の保持期限を所定期間延長することを特徴とする請求項３記載の画像配信システム。
【請求項７】
前記印刷装置は、前記画像管理装置に対する画像情報の送信が確実に終了したか否かを確認し、画像情報の送信が成功した場合に前記情報を画像情報に付加する印刷を実行することを特徴とする請求項２記載の画像配信システム。
【請求項８】
前記画像管理装置は、前記画像処理装置から送信される前記撮像装置と前記印刷装置の状態或いは設定を加味して前記保持期限情報を決定することを特徴とする請求項３記載の画像配信システム。
【請求項９】
前記撮像装置と前記印刷装置を一体化可能であることを特徴とする請求項２記載の画像配信システム。
【請求項１０】
撮影された画像情報を外部に送信可能な画像処理装置からネットワークを介して送信された画像情報を保持する保持手段と、前記保持手段に保持された画像情報をアクセス可能とする情報を前記画像処理装置に送信する送信手段と、現在の日付が前記保持手段に保持された画像情報の保持期限を過ぎた場合に画像情報を削除する削除手段とを備えることを特徴とする画像管理装置。
【請求項１１】
撮影された画像情報を外部に送信可能な画像処理装置と、前記画像処理装置からネットワークを介して送信された画像情報を保持すると共に前記ネットワークを介して画像情報の公開を行う画像管理装置とを備えた画像配信システムの制御方法であって、
前記画像管理装置に保持された画像情報をアクセス可能とする情報を前記画像管理装置から前記画像処理装置に送信し、前記画像処理装置側で前記情報を画像情報に付加する印刷を行うことを特徴とする制御方法。
【請求項１２】
撮影された画像情報を外部に送信可能な画像処理装置と、前記画像処理装置からネットワークを介して送信された画像情報を保持すると共に前記ネットワークを介して画像情報の公開を行う画像管理装置とを備えた画像配信システムに適用されるプログラムであって、
前記画像管理装置に保持された画像情報をアクセス可能とする情報を前記画像管理装置から前記画像処理装置に送信する機能と、前記画像処理装置側で前記情報を画像情報に付加する印刷を行う機能を、コンピュータに実現させるためのプログラム。
【発明の詳細な説明】
【技術分野】
【０００１】
本発明は、デジタルカメラ等の撮像装置で撮影した画像情報を、ネットワーク上のサーバにアップロード可能とすると共に印刷装置により画像情報を印刷可能とする場合に適用される画像配信システムに関する。
【背景技術】
【０００２】
近年、デジタルカメラ、ＰＤＡ（Personal Digital Assistant）、携帯電話機等の小型携帯機器の普及に伴い、従来はＰＣ（Personal Computer）等の高い処理能力がなければ実現できなかったアプリケーションを、その用途やパフォーマンスを現実的に限定することで、いつでもどこでも利用することが可能となりつつある。また、プリンタの小型化に伴い、上記小型携帯機器としてのデジタルカメラと共にプリンタも一緒に持ち歩くことも可能になってきている。
【０００３】
このような環境において、デジタルカメラで撮影した画像をその場でプリントアウトするというモバイルにおけるダイレクトフォトプリントのアプリケーションも、ＰＣ等の高い処理能力をもつ機器なしに実現することが可能になってきている。
【０００４】
一方、デジタルカメラで撮影した画像をネットワーク上のサーバに送信し、サーバで画像を保持すると共にユーザに公開可能とするネットワークフォトサービス等も広く行われ始めている。
【０００５】
他方、ダイレクトフォトプリントシステムにおいて、撮影時に写っている人達に写真プリントを配布すると共に画像情報をサーバにアップロードし、画像情報にアクセス先やＩＤ等の情報を付加することで、配布された写真プリントを持っていれば撮影者に連絡することなしにネットワークを介して自由なタイミングで画像情報にアクセスできる仕組みを用意した場合、必ずしもアクセスがあるとは限らない。このような場合、サーバの都合や自動的な処理によって画像情報の入れ替えや削除をユーザに承認された形で行うことは難しいため、外部記憶媒体に画像情報をコピーするなどして画像情報の保存を図る技術が提案されている（例えば、特許文献１参照）。
【特許文献１】特開２００１−３３７８５３号公報
【発明の開示】
【発明が解決しようとする課題】
【０００６】
しかしながら、上述したネットワークフォトサービスにおいては、現実にはネットワーク上のサーバにおいて保持及び公開される写真画像はあまり参照されることもなく、そのサービスは良く利用されているとは言いがたい状況である。これは、単にインターネット接続環境が一般に普及していないという理由だけではなく、参照したい画像が、「いつ」「どこに」「いつまで」公開され、それを「どのように」参照し利用すればよいのか分からないというところに問題があるためである。
【０００７】
更に、上記サービスが良く利用されているとは言いがたい状況でも、サーバはアクセスされるあてのない画像情報を大量に保持し記憶しておかなければならない。なお且つ、サーバ上の画像情報を削除して自動的に記憶容量を保つ仕組みの実行についても、いつ誰が画像情報にアクセスするのかが明確でないために、判断ができない状況となっている。そのため、サーバにおける画像情報の記憶に関する負荷が増大すると共に、サーバ上の画像情報は現状では有効利用されているとは言いがたいという問題がある。
【０００８】
また、ネットワークフォトサービスにアクセスする側のユーザにとっても、ダイレクトプリントした画像情報に後日アクセスしたい場合に、そのアクセス先を知ることや、そもそも画像情報がサーバにアップロードされているのかどうかを知ることが難しいという問題がある。それを知るためには、撮影した画像情報を所有しているユーザに聞く必要があるが、そもそもネットワークというユーザ毎に自由な時間に自由にアクセスできる仕組みが有効利用されていない。
【０００９】
また、画像情報がサーバにアップロードされていることを確認可能とするためには、被撮影者もいるその場で画像情報をサーバにアップロードしておくことが最も確実であるが、そのアップロードにかかる時間をただ待つのは処理上からも場の雰囲気としてもそぐわない等の問題がある。
【００１０】
また、撮影した画像情報を後日ネットワーク上のサーバを介して配布するサービスを行う際に、アクセス先等を画像情報と共にプリントアウトして配布するシステムを構築した場合を想定する。例えば複数枚の写真をアップロードする場合、複数枚のプリントを行わなければならないが、プリンタは１枚のプリントに一定の時間を必要とするため、選択した枚数が多い場合はプリントに時間がかかる。また、ある程度高速のネットワーク接続手段がある場合、複数枚の画像情報をアップロードする時間に対して画像を複数枚プリントする時間の方が長くなる。
【００１１】
本発明の目的は、画像情報を参照する際のアクセス方法をユーザに分かりやすく提示し、ユーザから画像情報が参照される可能性を高くすること等を可能とした画像配信システムを提供することにある。
【課題を解決するための手段】
【００１２】
上述の目的を達成するために、本発明の画像配信システムは、撮影された画像情報を外部に送信可能な画像処理装置と、前記画像処理装置からネットワークを介して送信された画像情報を保持すると共に前記ネットワークを介して画像情報の公開を行う画像管理装置とを備え、前記画像管理装置に保持された画像情報をアクセス可能とする情報を前記画像管理装置から前記画像処理装置に送信し、前記画像処理装置側で前記情報を画像情報に付加する印刷を行うことを特徴とする。
【００１３】
上述の目的を達成するために、本発明の制御方法は、撮影された画像情報を外部に送信可能な画像処理装置と、前記画像処理装置からネットワークを介して送信された画像情報を保持すると共に前記ネットワークを介して画像情報の公開を行う画像管理装置とを備えた画像配信システムの制御方法であって、前記画像管理装置に保持された画像情報をアクセス可能とする情報を前記画像管理装置から前記画像処理装置に送信し、前記画像処理装置側で前記情報を画像情報に付加する印刷を行うことを特徴とする。
【００１４】
上述の目的を達成するために、本発明のプログラムは、撮影された画像情報を外部に送信可能な画像処理装置と、前記画像処理装置からネットワークを介して送信された画像情報を保持すると共に前記ネットワークを介して画像情報の公開を行う画像管理装置とを備えた画像配信システムに適用されるプログラムであって、前記画像管理装置に保持された画像情報をアクセス可能とする情報を前記画像管理装置から前記画像処理装置に送信する機能と、前記画像処理装置側で前記情報を画像情報に付加する印刷を行う機能を、コンピュータに実現させるためのプログラムであることを特徴とする。
【発明の効果】
【００１５】
本発明によれば、画像処理装置は画像管理装置に保持された画像情報をアクセス可能とする情報を画像管理装置から受信し、前記情報（アクセス先情報と識別情報又はアクセス先情報と識別情報と保持期限情報）を画像情報に付加する印刷を行うため、例えば画像を撮影したその場で前記印刷を行うことにより、画像管理装置に保持された画像情報を参照する際のアクセス方法をユーザに分かりやすく提示できる。これにより、画像管理装置へのアクセスの機会を増やし、ユーザから画像情報が参照される可能性を高くすることが可能となる。
【００１６】
また、本発明によれば、画像管理装置は現在の日付が画像情報の保持期限を過ぎた場合に画像情報を削除するため、画像管理装置における画像情報の記憶に関する負荷を低減することが可能となる。
【００１７】
また、本発明によれば、画像管理装置は画像情報にアクセスがあった場合に画像情報の保持期限を所定期間延長するため、画像情報の有効利用を図ることが可能となる。
【００１８】
また、本発明によれば、印刷装置は画像管理装置に対する画像情報の送信が成功した場合に前記情報を画像情報に付加する印刷を実行するため、ユーザから画像情報が参照される可能性を高くすることが可能となる他に、画像管理装置の余計な記憶負荷を減らすことが可能となるばかりでなく、画像公開サービスに対するアクセス回数も効果的に高めることが可能となる。
【発明を実施するための最良の形態】
【００１９】
以下、本発明の実施の形態を図面に基づき説明する。
【００２０】
［第１の実施の形態］
図１は、本発明の第１の実施の形態に係る画像配信システムとしてのネットワーク接続ダイレクトフォトプリントシステムの構成例を示す概略図である。
【００２１】
図１において、本システムは、デジタルカメラ１、プリンタ２、ネットワーク通信部３、サーバ４をネットワーク５経由で通信可能に接続したシステムとして構成されている。
【００２２】
デジタルカメラ１は、撮影した画像情報を記録すると共に外部に送信することが可能である。プリンタ２は、デジタルカメラ１と通信可能に構成されており、例えばデジタルカメラ１で撮影を行ったその場で、撮影した画像情報に後述のアクセス先情報や画像識別ＩＤ情報を付加して印刷することが可能である。また、プリンタ２は、サーバ４に対する画像情報のアップロードが確実に終了したか否かを確認し、画像情報のアップロードが成功した場合に印刷を実行する。デジタルカメラ１とプリンタ２は、USB（Universal Serial Bus）等の接続ケーブル６により接続されている。
【００２３】
ネットワーク通信部３は、ネットワーク５に接続して情報の通信を行うものであり、例えば携帯電話機やモデム等から構成されている。プリンタ２とネットワーク通信部３は、USBやシリアルインタフェース等の接続ケーブル７により接続されている。ネットワーク通信部３は、無線或いは電話線等の有線の接続ケーブル８によりネットワーク５に接続することが可能である。サーバ４は、ネットワーク５に接続されており、プリンタ２からアップロードされた画像情報を格納すると共にネットワーク５を介して画像情報の公開を行う。
【００２４】
図２は、デジタルカメラ１、プリンタ２、サーバ４等の構成を示すブロック図である。
【００２５】
図２において、デジタルカメラ１は、カメラＣＰＵ２０１、カメラ撮影処理部２０２、カメラＲＯＭ２０３、カメラＲＡＭ２０４、画像記憶部２０５、カメラ外部通信インタフェース２０６を備えている。プリンタ２は、プリンタＣＰＵ２０７、プリンタＲＯＭ２０８、プリンタＲＡＭ２０９、プリンタ外部通信インタフェース２１０を備えている。サーバ４は、サーバ処理部２１５、サーバ処理手順記憶部２１６、サーバＲＡＭ２１７、サーバ画像管理情報保持部２１８、ネットワークインタフェース２１９、サーバ画像情報保持部２２０を備えている。
【００２６】
カメラＣＰＵ１は、デジタルカメラ１の制御を司る。カメラ撮影処理部２０２は、デジタルカメラ１の撮影に関わる処理及び撮影した画像の処理等を行う。カメラＲＯＭ２０３は、デジタルカメラ１の処理コード及びデータを格納する書き換え不可能な記憶手段であり、書き換え可能な不揮発性記憶手段を用いてもよい。カメラＲＡＭ２０４は、デジタルカメラ１の処理データを一時的に保持する。画像記憶部２０５は、デジタルカメラ１で撮影した画像情報及びレイアウトで使用するテンプレート画像等を記憶する。カメラ外部通信インタフェース２０６は、外部との通信のインタフェースを司る。
【００２７】
プリンタＣＰＵ２０７は、プリンタ２の制御を司るものであり、プログラムに基づき図４、図１０、図１１、図１７、図１８の各フローチャートに示す処理を実行する。プリンタＲＯＭ２０８は、プリンタ２の処理コードやデータ並びにレイアウト概要情報を単数或いは複数記憶する書き換え不可能な記憶手段であり、書き換え可能な不揮発性記憶手段を用いてもよい。プリンタＲＡＭ２０９は、プリンタ２の処理データを一時的に保持する。プリンタ外部通信インタフェース２１０は、デジタルカメラ１の情報を読み取る際のインタフェースを司る。
【００２８】
通信部２１１は、プリンタとデジタルカメラを接続するものであり、図１の接続ケーブル６に対応する。ネットワーク通信部２１２は、ネットワーク２１４と通信を行うための携帯電話機やモデム等であり、図１のネットワーク通信部３に対応する。結合インタフェース２１３は、プリンタ２とネットワーク通信部２１２とを電気的に結合するものであり、図１の接続ケーブル７に対応する。ネットワーク２１４は、インターネット或いはＬＡＮ等から構成されており、図１のネットワーク５に対応する。
【００２９】
サーバ処理部２１５は、サーバ４の制御を司るものであり、プログラムに基づき図５、図７、図８、図１２、図１３、図１４、図１５、図１９、図２０の各フローチャートに示す処理を実行する。サーバ処理手順記憶部２１６は、サーバ内の処理手順を記憶するＲＯＭ或いはディスク等から構成されている。サーバＲＡＭ２１７は、サーバ内での処理時のデータを一時的に記憶する。サーバ画像管理情報保持部２１８は、サーバ内にアップロードされた画像情報を管理するための画像管理情報を保持する。ネットワークインタフェース２１９は、ネットワーク２１４と接続し、サーバ４とネットワーク２１４との間の通信のインタフェースを司る。サーバ画像情報保持部２２０は、サーバ４にアップロードされた画像情報を保持する。
【００３０】
図３は、プリンタ２のプリント出力例を示す図である。
【００３１】
図３において、プリント用紙３０１は、給紙用のタブ３０４を備えており、サーバ４にアップロードされた画像情報に対応する画像３０２と、情報３０３（サーバ４にアップロードされた画像情報に対してプリンタ２がサーバ４から受信したアクセス先情報、画像識別ＩＤ情報）が印刷されている。
【００３２】
次に、上記構成を有する本実施の形態のネットワーク接続ダイレクトフォトプリントシステムにおける動作を図４及び図５を参照しながら詳細に説明する。
【００３３】
図４は、プリンタ側の初期化処理〜プリント処理を示すフローチャートである。
【００３４】
図４において、プリンタ２で本処理が開始されると（ステップＳ４０１）、プリンタＣＰＵ２０７は、プリンタ初期化処理を行った後（ステップＳ４０２）、ネットワーク通信部３を介してネットワーク上のサーバ４に接続する処理を行う（ステップＳ４０３）。次に、プリンタＣＰＵ２０７は、サーバ４に対しこれからアップロードする画像情報に関する情報を送信する（ステップＳ４０４）。次に、プリンタＣＰＵ２０７は、サーバ４に画像情報をアップロード可能であるかどうかに対する応答をサーバ４から受信する（ステップＳ４０５）。
【００３５】
次に、プリンタＣＰＵ２０７は、画像情報のアップロードが可能かどうかの判定を行う（ステップＳ４０６）。アップロード不可能である場合は、ステップＳ４１１へ進む。アップロード可能である場合は、プリンタＣＰＵ２０７は、アップロードした画像情報が公開されるＵＲＬ（Uniform Resource Locator）等のアクセス先情報と、サーバ４に既に複数保持されている画像情報の中から今回サーバ４にアップロードした画像情報を特定するための画像識別ＩＤ情報と、更には、画像情報をサーバ上に保持する有効期限を示す画像保持期限情報等、サーバ上での画像情報の保持に関する画像付帯情報を受信する（ステップＳ４０７）。
【００３６】
次に、プリンタＣＰＵ２０７は、プリンタ２からサーバ４に画像情報をアップロードする処理を行い（ステップＳ４０８）、ネットワーク５を介したサーバ４との接続を切断する（ステップＳ４０９）。次に、プリンタＣＰＵ２０７は、サーバ４にアップロードした画像情報とサーバ４から受信した画像付帯情報を合わせて１枚のプリント画像としてレイアウトする処理を行う（ステップＳ４１０）。次に、プリンタＣＰＵ２０７は、レイアウトに従って実際にプリント処理を行った後（ステップＳ４１１）、プリント終了処理を行い（ステップＳ４１２）、本処理を終了する。
【００３７】
尚、プリンタＣＰＵ２０７は、上記プリント処理を実行する際に、サーバ４に対する画像情報のアップロードが確実に終了したか否かを、結合インタフェース２１３及びネットワーク通信部２１２を介して確認し、画像情報のアップロードが成功した場合にプリント処理を実行する。
【００３８】
図５は、サーバ側の画像アップロード時の処理を示すフローチャートである。
【００３９】
図５において、プリンタ２からの接続要求によりサーバ４で本処理が開始されると（ステップＳ５０１）、サーバ処理部２１５は、アップロード予定の画像情報のサイズ等を示す情報をプリンタ２から受信する（ステップＳ５０２）。次に、サーバ処理部２１５は、サーバ画像情報保持部２２０の記憶領域の残りの記憶容量等から、アップロード予定の画像情報を受信処理可能かどうか、即ち、画像情報を保持可能であるかどうかを判断する（ステップＳ５０３）。
【００４０】
画像情報を保持不可能である場合は、ステップＳ５０８へ進む。画像情報を保持可能である場合は、サーバ処理部２１５は、プリンタ２にアップロード可能を通知する（ステップＳ５０４）。次に、サーバ処理部２１５は、アップロードされる予定の画像情報を保存するサーバ画像情報保持部２２０の記憶領域に関するアクセス先情報、画像識別ＩＤ情報、画像保持期限情報を求める処理を行う（ステップＳ５０５）。次に、サーバ処理部２１５は、アクセス先情報、画像識別ＩＤ情報、画像保持期限情報をプリンタ２に通知する（ステップＳ５０６）。
【００４１】
次に、サーバ処理部２１５は、画像情報のアップロードを受け付け、アップロードされた画像情報を上記ステップＳ５０５で求めたサーバ画像情報保持部２２０の記憶領域に格納する処理を行い（ステップＳ５０７）、ネットワーク５への接続を切断し（ステップＳ５０８）、本処理を終了する。
【００４２】
以上説明したように、本実施の形態によれば、プリンタ２はアクセス先情報と画像識別ＩＤ情報をサーバ４から受信し、アクセス先情報と画像識別ＩＤ情報を画像情報に付加する印刷を行うため、例えば画像を撮影したその場で前記印刷を行い、ユーザ（被撮影者等）に配布することにより、サーバ４に保持された画像情報を参照する際のアクセス方法をユーザに分かりやすく提示できる。これにより、サーバ４へのアクセスの機会を増やし、ユーザから画像情報が参照される可能性を高くすることが可能となる。
【００４３】
また、プリンタ２はサーバ４に対する画像情報のアップロードが成功した場合にアクセス先情報と画像識別ＩＤ情報を画像情報に付加する印刷を実行するため、ユーザから画像情報が参照される可能性を高くすることが可能となる他に、サーバ４の余計な記憶負荷を減らすことが可能となるばかりでなく、画像公開サービスに対するアクセス回数も効果的に高めることが可能となる。更に、アップロードによって初めて決まるサーバ上のディレクトリやアクセスＩＤ等も、アップロード成功後に印刷を行うことで確定することができ、なお且つプリンタ内部にＩＤ情報等を不揮発に保持する必要がなくなるという利点もある。
【００４４】
また、例えば、サーバ４に対するアップロード対象を、サンプルプリントを行った画像情報のみとすれば、サーバ４にアクセスされる可能性の低い画像情報を送信することを抑制でき、サーバ４の負荷を低減することも可能となる。
【００４５】
［第２の実施の形態］
本発明の第２の実施の形態は、上述した第１の実施の形態に対して、下記のフローチャートに示す点において相違する。本実施の形態のその他の要素は、上述した第１の実施の形態（図１、図２）の対応するものと同一なので、説明を省略する。
【００４６】
図６は、本実施の形態に係るプリンタ２のプリント出力例を示す図である。
【００４７】
図６において、プリント用紙６０１は、給紙用のタブ６０４を備えており、サーバ４にアップロードされた画像情報に対応する画像６０２と、情報６０３（サーバ４にアップロードされた画像情報に対してプリンタ２がサーバ４から受信したアクセス先情報、画像識別ＩＤ情報、画像保持期限情報）が印刷されている。
【００４８】
画像保持期限情報により、サーバ上の画像情報を参照するユーザに対しサーバ４の画像情報を保持する有効期限を明示することを可能としている。また、サーバ４が画像保持期限情報に基づき自動的に画像を削除することを可能としている。
【００４９】
図７は、サーバ側の画像アップロード時の処理を示すフローチャートである。
【００５０】
図７において、ステップＳ７０１〜ステップＳ７０４は、上記図５のステップＳ５０１〜ステップＳ５０４と同様であるため説明を省略する。ステップＳ７０４の後、サーバ処理部２１５は、アップロードされる予定の画像情報を保存するサーバ画像情報保持部２２０の記憶領域に関するアクセス先情報、画像識別ＩＤ情報、画像保持期限情報を求める処理を行う（ステップＳ７０５）。次に、サーバ処理部２１５は、アクセス先情報、画像識別ＩＤ情報、画像保持期限情報をプリンタ２に通知する（ステップＳ７０６）。
【００５１】
次に、サーバ処理部２１５は、画像情報のアップロードを受け付け、アップロードされた画像情報を上記ステップＳ７０５で求めたサーバ画像情報保持部２２０の記憶領域に格納し（ステップＳ７０７）、上記ステップＳ７０５で求めた画像保持期限情報（画像の保存期間を示す情報）をサーバ画像管理情報保持部２１８に格納する（ステップＳ７０８）。次に、サーバ処理部２１５は、ネットワーク５への接続を切断し（ステップＳ７０９）、本処理を終了する。
【００５２】
図８は、サーバ側の画像削除処理を示すフローチャートである。
【００５３】
図８において、何らかの周期ハンドラ（一定時間毎にサーバにトリガを与える）或いはイベントによりサーバ４で本処理が開始されると（ステップＳ８０１）、サーバ処理部２１５は、サーバ画像管理情報保持部２１８の画像管理情報から、サーバ画像情報保持部２２０に保持されている画像情報の数を読み取る（ステップＳ８０２）。次に、サーバ処理部２１５は、不図示のカウンタをリセットし（ステップＳ８０３）、カウンタ値に相当する順番の画像情報の格納場所と、画像保持期限情報と、画像情報に対するアクセス記録、即ち、画像付帯情報をサーバ画像管理情報保持部２１８から読み出す（ステップＳ８０４）。
【００５４】
次に、サーバ処理部２１５は、アクセス記録を確認する（ステップＳ８０５）。画像情報に対するアクセスがなかった場合は、ステップＳ８０８へ進む。画像情報に対するアクセスがあった場合は、サーバ処理部２１５は、上記ステップＳ８０４で読み出された画像保持期限を予め定められた日数延長する（ステップＳ８０６）。次に、サーバ処理部２１５は、上記ステップＳ８０６で延長された画像保持期限をサーバ画像管理情報保持部２１８の画像管理情報に書き込む（ステップＳ８０７）。
【００５５】
次に、サーバ処理部２１５は、画像保持期限と現在の日付とを比較する（ステップＳ８０８）。画像保持期限が現在の日付よりも未来である場合は、本処理を終了する。現在の日付が画像保持期限を過ぎている場合は、サーバ処理部２１５は、サーバ画像情報保持部２２０から画像情報を削除する（ステップＳ８０９）。次に、サーバ処理部２１５は、カウンタをカウントアップし（ステップＳ８１０）、カウンタ値とサーバ画像情報保持部２２０に保持されている画像情報の数とを比較する（ステップＳ８１１）。カウンタ値が画像情報の数より小さい場合は、ステップＳ８０４へ戻る。カウンタ値が画像情報の数に達した場合、即ち、サーバ画像情報保持部２２０に保持されている全ての画像情報に対する処理を終えた場合は、本処理を終了する。
【００５６】
このとき、サーバ上のサーバ画像情報保持部２２０から画像情報を削除してしまうが、現実にはユーザの手元にあるデジタルカメラ１の内部またはデジタルカメラ１に装着するメモリカード等の記憶媒体にオリジナル画像が残っているため、特にユーザに被害を与えることにはならないことが普通である。ただし、本実施の形態ではユーザに画像保持期限を明示しているため、サーバ上に唯一オリジナルの画像情報が存在する場合でも本処理を適用しても良い。
【００５７】
以上説明したように、本実施の形態によれば、プリンタ２はアクセス先情報と画像識別ＩＤ情報と画像保持期限情報をサーバ４から受信し、アクセス先情報と画像識別ＩＤ情報と画像保持期限情報を画像情報に付加する印刷を行うため、ユーザやサンプルプリントの配布相手に対し画像情報の保持期限を知らせることが可能となる。
【００５８】
［第３の実施の形態］
本発明の第３の実施の形態は、上述した第１の実施の形態に対して、下記のフローチャートに示す点において相違する。本実施の形態のその他の要素は、上述した第１の実施の形態（図１、図２）の対応するものと同一なので、説明を省略する。
【００５９】
図９は、本実施の形態に係るプリンタのプリント出力例を示す図である。
【００６０】
図９において、プリント用紙９０１は、給紙用のタブ９０４を備えており、サーバ４にアップロードされた複数の画像情報に対応する複数の画像９０２と、情報９０３（サーバ４にアップロードされた複数の画像情報に対してプリンタ２がサーバ４から受信したアクセス先情報、画像識別ＩＤ情報、画像保持期限情報）が印刷されている。
【００６１】
図１０及び図１１は、プリンタ側の初期化処理〜プリント処理を示すフローチャートである。
【００６２】
図１０及び図１１において、ステップＳ１００１〜ステップＳ１００３は、上記図４のステップＳ４０１〜ステップＳ４０３と同様であるため説明を省略する。ステップＳ１００３の後、プリンタＣＰＵ２０７は、サーバ４に対しこれからアップロードする複数の画像情報のサイズ等を示す情報を送信する（ステップＳ１００４）。次に、プリンタＣＰＵ２０７は、サーバ４に画像情報をアップロード可能であるかどうかに対する応答をサーバ４から受信する（ステップＳ１００５）。
【００６３】
次に、プリンタＣＰＵ２０７は、画像情報のアップロードが可能かどうかの判定を行う（ステップＳ１００６）。アップロード不可能である場合は、ステップＳ１０１４へ進む。アップロード可能である場合は、プリンタＣＰＵ２０７は、アップロードした画像情報が公開されるＵＲＬ等のアクセス先情報と、サーバ４に既に複数保持されている画像情報の中から今回サーバ４にアップロードした画像情報を特定するための画像識別ＩＤ情報と、更には、画像情報をサーバ上に保持する有効期限を示す画像保持期限情報等、サーバ上での画像情報の保持に関する画像付帯情報を受信する（ステップＳ１００７）。
【００６４】
次に、プリンタＣＰＵ２０７は、カウンタをリセットし（ステップＳ１００８）、プリンタ２からサーバ４に送信する画像情報の数を読み出す（ステップＳ１００９）。次に、プリンタＣＰＵ２０７は、カウンタ値の順番に相当する画像情報を読み出し（ステップＳ１０１０）、読み出した画像情報をサーバ４にアップロードする処理を行う（ステップＳ１０１１）。次に、プリンタＣＰＵ２０７は、カウンタをカウントアップし（ステップＳ１０１２）、カウンタ値とアップロード予定の画像情報の数とを比較する（ステップＳ１０１３）。
【００６５】
カウンタ値がアップロード予定の画像情報の数より小さい場合は、ステップＳ１０１０へ戻る。カウンタ値がアップロード予定の画像情報の数に達した場合は、プリンタＣＰＵ２０７は、サーバ４との接続を切断し（ステップＳ１０１４）、サーバ４にアップロードした画像情報とサーバ４から受信した画像付帯情報を合わせて１枚のプリント画像としてレイアウトする処理を行う（ステップＳ１０１５）。次に、プリンタＣＰＵ２０７は、レイアウトに従って実際にプリント処理を行った後（ステップＳ１０１６）、プリント終了処理を行い（ステップＳ１０１７）、本処理を終了する。
【００６６】
図１２及び図１３は、サーバ側の画像アップロード時の処理を示すフローチャートである。
【００６７】
図１２及び図１３において、プリンタ２からの接続要求によりサーバ４で本処理が開始されると（ステップＳ１２０１）、サーバ処理部２１５は、アップロード予定の複数の画像情報のサイズ等を示す情報をプリンタ２から受信する（ステップＳ１２０２）。次に、サーバ処理部２１５は、サーバ画像情報保持部２２０の記憶領域の残りの記憶容量等から、アップロード予定の画像情報を受信処理可能かどうか、即ち、画像情報を保持可能であるかどうかを判断する（ステップＳ１２０３）。
【００６８】
画像情報を保持不可能である場合は、ステップＳ１２１３へ進む。画像情報を保持可能である場合は、サーバ処理部２１５は、プリンタ２にアップロード可能を通知する（ステップＳ１２０４）。次に、サーバ処理部２１５は、サーバ画像情報保持部２２０に格納される複数の画像情報の集合を管理するための画像集合管理情報（図１６参照）を生成する（ステップＳ１２０５）。次に、サーバ処理部２１５は、アップロードされる予定の画像情報を保存するサーバ画像情報保持部２２０の記憶領域に関するアクセス先情報、複数の画像情報の集合を指定するための画像識別ＩＤ情報、画像保持期限情報を求める処理を行う（ステップＳ１２０６）。
【００６９】
次に、サーバ処理部２１５は、アクセス先情報、画像識別ＩＤ情報、画像保持期限情報をプリンタ２に通知する（ステップＳ１２０７）。次に、サーバ処理部２１５は、カウンタをリセットし（ステップＳ１２０８）、画像情報のアップロードを受け付け、アップロードされた画像情報を上記ステップＳ１２０６で求めたサーバ画像情報保持部２２０の記憶領域に格納する（ステップＳ１２０９）。次に、サーバ処理部２１５は、上記格納を完了した画像情報に対するファイルパス等の画像格納場所情報を画像集合管理情報に記入する（ステップＳ１２１０）。
【００７０】
次に、サーバ処理部２１５は、カウンタをカウントアップし（ステップＳ１２１１）、上記ステップＳ１２０２で受信したアップロードされる画像情報の数とカウンタ値とを比較する（ステップＳ１２１２）。カウンタ値がアップロードされる画像情報の数より小さい場合は、ステップＳ１２０９に戻る。アップロードされる画像情報の数がカウンタ値に達した場合は、サーバ処理部２１５は、上記ステップＳ１２０６で求めた画像保持期限情報を画像集合管理情報に格納し（ステップＳ１２１３）、ネットワーク５への接続を切断し（ステップＳ１２１４）、本処理を終了する。
【００７１】
図１４及び図１５は、サーバ側の画像削除処理を示すフローチャートである。
【００７２】
図１４及び図１５において、何らかの周期ハンドラ或いはイベントによりサーバ４で本処理が開始されると（ステップＳ１４０１）、サーバ処理部２１５は、サーバ画像管理情報保持部２１８の画像管理情報から、画像集合管理情報と画像情報の数を読み取る（ステップＳ１４０２）。次に、サーバ処理部２１５は、カウンタ（後述の図１６の画像管理情報１６０２に対応したカウンタ）をリセットし（ステップＳ１４０３）、カウンタ値に相当する順番の画像情報または画像集合管理情報の格納場所と、画像保持期限情報と、画像情報に対するアクセス記録をサーバ画像管理情報保持部２１８から読み出す（ステップＳ１４０４）。ステップＳ１４０５〜ステップＳ１４０８は、上記図８のステップＳ８０５〜ステップＳ８０８と同様であるため説明を省略する。
【００７３】
ステップＳ１４０８の比較で画像保持期限が現在の日付よりも未来である場合は、ステップＳ１４１６へ進む。ステップＳ１４０８の比較で現在の日付が画像保持期限を過ぎている場合は、サーバ処理部２１５は、処理中の対象が画像情報であるか画像集合管理情報であるかを判断する（ステップＳ１４０９）。処理中の対象が画像情報である場合は、サーバ処理部２１５は、サーバ画像情報保持部２２０から画像情報を削除する（ステップＳ１４１０）。
【００７４】
処理中の対象が画像集合管理情報である場合は、サーバ処理部２１５は、カウンタ２（後述の図１６の画像集合管理情報１６０３に対応したカウンタ）をリセットし（ステップＳ１４１１）、画像集合管理情報に記録されている画像情報の数を読み出す（ステップＳ１４１２）。次に、サーバ処理部２１５は、画像集合管理情報に記録されているカウンタ２の値に相当する順番の画像情報を読み出し（ステップＳ１４１３）、カウンタ２をカウントアップする（ステップＳ１４１４）。
【００７５】
次に、サーバ処理部２１５は、カウンタ２の値と上記ステップＳ１４１２で読み出した画像情報の数とを比較する（ステップＳ１４１５）。カウンタ２の値が画像情報の数より小さい場合は、ステップＳ１４１３へ戻る。カウンタ２の値が画像情報の数に達した場合は、サーバ処理部２１５は、カウンタ２をカウントアップする（ステップＳ１４１６）。次に、サーバ処理部２１５は、カウンタ２の値と、画像管理情報に保持されている画像情報の数とを比較する（ステップＳ１４１７）。カウンタ２の値が画像情報の数より小さい場合は、ステップＳ１４０４へ戻る。カウンタ２の値が画像情報の数に達した場合は、本処理を終了する。
【００７６】
図１６は、サーバ４の画像管理情報の構成例を示す図である。
【００７７】
図１６において、画像管理情報１６０１は、サーバ画像管理情報保持部２１８に格納されており、画像管理情報１６０２と画像集合管理情報１６０３とに分かれている。画像管理情報１６０２は、１枚単位でサーバ４にアップロードされた場合の画像に関する情報である。画像集合管理情報１６０３は、複数枚単位でサーバ４にアップロードされた場合の画像に関する情報である。
【００７８】
画像管理情報１６０２において、１６０４は、画像の格納場所を示す情報である。１６０５は、画像の保持期限を示す情報である。１６０６は、画像に対するアクセス記録を示す情報である。
【００７９】
画像集合管理情報１６０３において、１６０７は、複数枚単位でアップロードされたときの個々の画像の格納場所を示す情報である。１６０８は、複数枚単位でアップロードされた画像全ての保持期限を示す情報である。１６０９は、複数枚単位でアップロードされた画像のいずれかに対するアクセス記録を示す情報である。
【００８０】
以上説明したように、本実施の形態によれば、例えば、ＤＰＯＦ（Digital Print Order Format）等の規格を用いて、２枚以上の撮影画像をセットで公開及び配布する場合、アクセス先情報と画像識別ＩＤ情報と画像保持期限情報と共に選択された複数の画像情報を１枚の用紙上にレイアウトして印刷することで、アクセスした際に参照利用できる画像が何枚あり且つどのような画像であるかをユーザに対し一目瞭然に提示することが可能となる。
【００８１】
また、複数の画像を１枚（或いはできるだけ少ない枚数）の用紙に印刷することで、従来のような複数の画像情報のアップロードにかかる時間に対して非常に長い時間を印刷動作に要する不具合を解消することが可能となる。
【００８２】
また、画像情報のアップロードに要する時間が１枚のプリントに要する時間よりも長い場合、印刷レイアウトを変更してちょうどアップロードにかかる時間と同じ程度で印刷できる写真枚数を選択して印刷したり、複数枚に分けて印刷したりすれば、無駄な待ち時間を解消することも可能となる。
【００８３】
また、サーバ４は、現在の日付が画像情報の保持期限を過ぎた場合に画像情報を削除するため、サーバ４における画像情報の記憶に関する負荷を低減することが可能となる。
【００８４】
［第４の実施の形態］
本発明の第４の実施の形態は、上述した第１の実施の形態に対して、下記のフローチャートに示す点において相違する。本実施の形態のその他の要素は、上述した第１の実施の形態（図１、図２）の対応するものと同一なので、説明を省略する。
【００８５】
図１７及び図１８は、本実施の形態に係るプリンタ側の初期化処理〜プリント処理を示すフローチャートである。
【００８６】
本処理は、画像情報の保持期限を決定する際に、例えばデジタルカメラ１或いはプリンタ２の状態や設定に関する情報をサーバ４にアップロードし、サーバ４において前記情報を画像情報保持期限決定に加味する場合の処理である。
【００８７】
サーバ４にアップロードされ画像情報保持期限決定に加味される情報としては、例えば、
（１）デジタルカメラ１に予め設定された保持期間情報
（２）プリンタ２に予め設定された保持期間情報
（３）デジタルカメラ１の画像品位情報
（４）プリンタ２のプリント品位情報
（５）プリント用紙等のプリント条件情報
等がある。
【００８８】
特に、（１）、（２）の保持期間情報が設定されている場合は、サーバ４は単純に現在の日付に保持期間を加算したものを画像保持期限（保存期間）として算出すればよい。
【００８９】
また、（３）、（４）、（５）の条件情報については、例えば以下のような処理が考えられる。
（処理例１）もし、品位が低く長期間保存できないようなプリントが行われる場合は、保存期間を短く設定する。
（処理例２）もし、撮影画像の品位が低い場合は、予めサーバ側で設定されている保存期間よりも短く設定する。
【００９０】
上記のような処理によって、ローカルのシステム（デジタルカメラ、プリンタ）の状況を加味した形で画像の保存期間を決定することが可能である。
【００９１】
図１７及び図１８において、ステップＳ１７０１〜ステップＳ１７０６は、上記図１０のステップＳ１００１〜ステップＳ１００６と同様であるため説明を省略する。ステップＳ１７０６の判定でアップロード不可能である場合は、ステップＳ１７１５へ進む。ステップＳ１７０６の判定でアップロード可能である場合は、プリンタＣＰＵ２０７は、デジタルカメラ１やプリンタ２に設定されている情報（保持期間情報）、カメラモードの情報（画像品位情報）、プリントモードの情報（プリント品位情報、プリント条件情報）等をサーバへ送信する（ステップＳ１７０７）。これ以降のステップＳ１７０８〜ステップＳ１７１８は、上記図１０及び図１１のステップＳ１００７〜ステップＳ１０１７と同様であるため説明を省略する。
【００９２】
図１９及び図２０は、サーバ側の画像アップロード時の処理を示すフローチャートである。
【００９３】
図１９及び図２０において、ステップＳ１９０１〜ステップＳ１９０５は、上記図１２のステップＳ１２０１〜ステップＳ１２０５と同様であるため説明を省略する。ステップＳ１９０５の後、サーバ処理部２１５は、プリンタ２から送信されてくるデジタルカメラ１及びプリンタ２の状態や設定に関する情報を受信する（ステップＳ１９０６）。これ以降のステップＳ１９０７〜ステップＳ１９１５は、上記図１２及び図１３のステップＳ１２０６〜ステップＳ１２１４と同様であるため説明を省略する。
【００９４】
以上説明したように、本実施の形態によれば、サーバ４の残りの記憶容量、サーバ４側で設定されている画像情報の有効期限、デジタルカメラ１及びプリンタ２側で設定されている保持期間情報を基に、アップロードした画像をサーバ４に保持する画像保持期限を決定し、画像保持期限情報をアクセス先情報や画像識別ＩＤ情報と共に画像情報に付加してプリント出力する。これにより、ユーザに画像情報に対するアクセスの有効期限を明示し、有効期限が過ぎたときにサーバ上の画像情報を削除することで、サーバ４の記憶に関する負荷を低減することが可能となる。
【００９５】
［他の実施の形態］
上記第１乃至第４の実施の形態では、図１の構成を有するシステムを例に挙げたが、これに限定されるものではない。システムを構成するデバイス（デジタルカメラ、プリンタ、携帯電話機）の数や種類（前記以外に例えばＰＤＡ等）は任意とすることが可能である。
【００９６】
上記第１乃至第４の実施の形態では、デジタルカメラとプリンタを別個に設置する構成を例に挙げたが、これに限定されるものではない。例えば、デジタルカメラとプリンタを一体化した構成、即ち、デジタルカメラに印刷機能を内蔵する構成としてもよい。
【００９７】
上記第１乃至第４の実施の形態では、プリンタが携帯電話機やモデム等のネットワーク通信部を介してサーバと通信を行う構成を例に挙げたが、これに限定されるものではない。例えば、プリンタにモデム等のネットワーク通信機能を内蔵し、プリンタがサーバと直接通信を行う構成、或いはデジタルカメラにモデム等のネットワーク通信機能を内蔵し、デジタルカメラがサーバと直接通信を行う構成、或いはデジタルカメラがネットワーク通信部を介してサーバと通信を行う構成としてもよい。
【００９８】
本発明は、上述した実施の形態の機能を実現するソフトウェアのプログラム（図４、図５、図７、図８、図１０〜図１５、図１７〜図２０のフローチャート）をコンピュータ又はＣＰＵに供給し、そのコンピュータ又はＣＰＵが該供給されたプログラムを読出して実行することによって、達成することができる。
【００９９】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【０１００】
上記プログラムの形態は、オブジェクトコード、インタプリタにより実行されるプログラムコード、ＯＳ（オペレーティングシステム）に供給されるスクリプトデータ等の形態から成ってもよい。
【０１０１】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【０１０２】
この場合、格納媒体から読出されたプログラムコード自体が上述した各実施の形態の機能を実現すると共に、そのプログラムコードを記憶した記憶媒体は本発明を構成する。
【０１０３】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【０１０４】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【０１０５】
更に、本発明は、前述した実施の形態を実現するソフトウェアのプログラムがネットワーク上のデータベース又はホームページから通信プログラムによりダウンロードされ、このプログラムを読出して実行することによって達成することができる。
【０１０６】
上記プログラムは、クライアントコンピュータのブラウザを用いてインターネットのホームページに接続し、該ホームページからコンピュータプログラム自体、又は自動インストール機能を含む圧縮ファイルをハードディスク等の記憶媒体にダウンロードすることによっても供給することができる。
【０１０７】
また、上記プログラムは、プログラムコードを暗号化した上で格納したＣＤ−ＲＯＭ等の記憶媒体をユーザに配布し、所定の条件をクリアしたユーザに対し、インターネットを介してホームページから暗号化を解く鍵情報をダウンロードさせ、その鍵情報を使用することにより暗号化されたプログラムコードを実行してコンピュータにインストールさせることによっても供給することができる。
【０１０８】
上述した実施の形態の機能は、プログラムコードを複数のファイルに分割し、夫々のファイルを異なるホームページからダウンロードすることによっても実現することができる。即ち、本発明の機能処理をコンピュータで実現させるためのプログラムファイルを複数のユーザに対してダウンロードさせるＷＷＷサーバも、本発明を構成する。
【０１０９】
また、上述した実施の形態の機能は、記憶媒体から読出されたプログラムが、コンピュータに挿入された機能拡張ボード又はコンピュータに接続された機能拡張ユニットに備えられたメモリに書込まれた後、そのプログラムの指示に基づき、その機能拡張ボード又は機能拡張ユニットに備えられたＣＰＵ又はＭＰＵ等が実際の処理の一部又は全部を実行することによっても実現することができる。
【図面の簡単な説明】
【０１１０】
【図１】本発明の第１の実施の形態に係る画像配信システムとしてのネットワーク接続ダイレクトフォトプリントシステムの構成例を示す概略図である。
【図２】デジタルカメラ、プリンタ、サーバ等の構成を示すブロック図である。
【図３】プリンタのプリント出力例を示す図である。
【図４】プリンタ側の初期化処理〜プリント処理を示すフローチャートである。
【図５】サーバ側の画像アップロード時の処理を示すフローチャートである。
【図６】本発明の第２の実施の形態に係るプリンタのプリント出力例を示す図である。
【図７】サーバ側の画像アップロード時の処理を示すフローチャートである。
【図８】サーバ側の画像削除処理を示すフローチャートである。
【図９】本発明の第３の実施の形態に係るプリンタのプリント出力例を示す図である。
【図１０】プリンタ側の初期化処理〜プリント処理を示すフローチャートである。
【図１１】図１０のフローチャートの続きである。
【図１２】サーバ側の画像アップロード時の処理を示すフローチャートである。
【図１３】図１２のフローチャートの続きである。
【図１４】サーバ側の画像削除処理を示すフローチャートである。
【図１５】図１４のフローチャートの続きである。
【図１６】サーバの画像管理情報の構成例を示す図である。
【図１７】本発明の第４の実施の形態に係るプリンタ側の初期化処理〜プリント処理を示すフローチャートである。
【図１８】図１７のフローチャートの続きである。
【図１９】サーバ側の画像アップロード時の処理を示すフローチャートである。
【図２０】図１９のフローチャートの続きである。
【符号の説明】
【０１１１】
１  デジタルカメラ（画像処理装置、撮像装置に対応）
２  プリンタ（画像処理装置、印刷装置に対応）
３  ネットワーク通信部（通信手段に対応）
４  サーバ（画像管理装置に対応）
５  ネットワーク
２１５  サーバ処理部（削除手段に対応）
２１９  ネットワークインタフェース（送信手段に対応）
２２０  サーバ画像情報保持部（保持手段に対応）
【図１】
2006023938.tif 000003
【図２】
2006023938.tif 000004
【図３】
2006023938.tif 000005
【図４】
2006023938.tif 000006
【図５】
2006023938.tif 000007
【図６】
2006023938.tif 000008
【図７】
2006023938.tif 000009
【図８】
2006023938.tif 000010
【図９】
2006023938.tif 000011
【図１０】
2006023938.tif 000012
【図１１】
2006023938.tif 000013
【図１２】
2006023938.tif 000014
【図１３】
2006023938.tif 000015
【図１４】
2006023938.tif 000016
【図１５】
2006023938.tif 000017
【図１６】
2006023938.tif 000018
【図１７】
2006023938.tif 000019
【図１８】
2006023938.tif 000020
【図１９】
2006023938.tif 000021
【図２０】
2006023938.tif 000022